(57)【要約】【課題】従来、緊急時に救助袋を垂下することは相当に難しく、且つ、安定せず、ましてや強風等に煽られた場合等には、建物途中階の避難開口部に救助袋の乗り込み口を合致させることは困難な場合があり、慣れない避難者のいる火災等の緊急避難時のパニック状態においては尚更大変であった。【解決手段】建物２０の途中階の退避開口部２１に相当する位置に沿って柔軟な救助袋１を垂下し、前記退避開口部２１に乗り込み口６が位置するように、建物２０の外壁２３に前記乗り込み口６の垂下方向を規制する案内部材３０を設けると共に、乗り込み口６の口枠部に案内部１０を設けてなる垂下式救助袋を有する退避装置。【選択図】            図１
2004222972.tif 000002
【特許請求の範囲】
【請求項１】
建物の途中階の退避開口部に相当する位置に沿って柔軟な救助袋を垂下し、前記退避開口部に乗り込み口が位置するようになした垂直式救助袋を有する退避装置において、建物の外壁に前記乗り込み口の垂下方向を規制する案内部材を設けると共に、前記乗り込み口の口枠部に前記案内部材に係合する案内部を設け、前記口枠部が前記退避開口部に位置するようになした垂直式救助袋を有する退避装置。
【請求項２】
請求項１に記載の垂直式救助袋を有する退避装置において  、案内部材がロープ、ワイヤロープ、紐等の索部材からなると共に、案内部が案内部材に摺動自在に係合するパイプ又はリング等の摺動部材からなる垂直式救助袋を有する退避装置。
【請求項３】
請求項１に記載の垂直式救助袋を有する退避装置において  、案内部材が案内レールからなると共に、案内部が案内部材に係合する係合滑走部材からなる垂直式救助袋を有する退避装置。
【請求項４】
請求項１乃至３のいずれかに記載の垂直式救助袋を有する退避装置において  、案内部材を口枠部の両側に位置して設けると共に、案内部を口枠部の下辺枠部の両端突出部に一体に設けてなる垂直式救助袋を有する退避装置。
【請求項５】
請求項１乃至４のいずれかに記載の垂直式救助袋を有する退避装置において、乗り込み口の口枠部が上方から降りてきてそのまま退避開口部に係合する係合手段を口枠部と退避開口部にそれぞれ設けてなる垂直式救助袋を有する退避装置。
【請求項６】
請求項５に記載の垂直式救助袋を有する退避装置において、係合手段が各階毎に上の階では係合しないように設けてある垂直式救助袋を有する退避装置。
【請求項７】
請求項５又は６に記載の垂直式救助袋を有する退避装置において、係合手段が口枠部の下辺枠部の中間部に一体に設けてある垂直式救助袋を有する退避装置。。
【請求項８】
請求項１乃至７のいずれかに記載の垂直式救助袋を有する退避装置において、救助袋内に柔軟且つ強靱なロープ、ワイヤロープ、紐、ベルト等からなる中央支持索を設け、帯状をなす布地の一側縁を前記中央支持索に取り付けると共に、他側縁を強靱且つ柔軟な筒状外装体の内側に適宜な傾斜を持たせて縫い付け、螺旋状の滑走路を設けてなる垂直式救助袋を有する退避装置。
【発明の詳細な説明】
【０００１】
【発明の属する技術分野】
本発明は、緊急避難時に、建物の途中階の退避開口部に相当する位置に沿って柔軟な救助袋を垂下し、救助袋に設けた乗り込み口が前記退避開口部に位置するようになした垂直式救助袋を有する退避装置に関する。
【０００２】
【従来の技術】
従来、緊急避難時に、建物の途中階の退避開口部に相当する位置に沿って柔軟な救助袋を垂下し、救助袋に設けた乗り込み口が前記退避開口部に位置するようになした垂直式救助袋を有する退避装置は知られている（特許文献１、２、３参照）。
救助袋内には、螺旋状に滑走路が設けてあり、建物の途中階の退避開口部に位置する乗り込み口から救助袋内に入り込めば、滑走路に沿って適宜なスピードで階下まで安全に滑り降りることができる。
【特許文献１】特開昭５３−６４９９９号
【特許文献２】特開昭６０−２３６６６６号
【特許文献３】特開昭５３−９１００号
【０００３】
【発明が解決しようとする課題】
本発明が解決しようとする課題は、緊急避難時に、経験のない慣れない避難者が簡単な操作で如何に安全、迅速に、建物の途中階の避難開口部から救助袋の乗り込み口を経て救助袋内に入り込むことができるかということである。
従来、緊急時に救助袋を簡単な操作で短時間に正確に垂下することは相当に難しく、且つ、安定せず、ましてや強風等に煽られた場合等には、建物途中階の避難開口部に救助袋の乗り込み口を合致させることは困難な場合があり、例えば、救助袋の乗り込み口の４個所に設けた紐や保持金具を、建物側の避難開口部に対応して設けた掛止金具等に固定すること（特許文献２，３参照）は、訓練を受けた者でも時間と労力が掛かるのみならず、経験のない慣れない避難者のいる火災等の緊急避難時のパニック状態においては尚更大変である。
【０００４】
【課題を解決するための手段】
そこで、本発明は、特許請求の範囲の請求項１に記載のように、  建物の途中階の退避開口部に相当する位置に沿って柔軟な救助袋を垂下し、救助袋に設けた乗り込み口が前記退避開口部に位置するようになした垂直式救助袋を有する退避装置において、建物の外壁に前記乗り込み口の垂下方向を規制する案内部材を設けると共に、前記乗り込み口の口枠部に案内部材に係合する案内部を設け、口枠部が前記退避開口部に位置するようになした垂直式救助袋を有する退避装置を提供するものである。
【０００５】
本発明によれば、救助袋を垂下するだけで、救助袋に設けた乗り込み口の口枠部の案内部が、建物の外壁に設けた案内部材に規制されて垂下し、垂下完了と同時に、乗り込み口が退避開口部に案内部材に規制されて確実に位置するから、一動作で緊急時に救助袋を瞬時に確実に設置することができ、強風等に対しても安定した状態で建物途中階の避難開口部に救助袋の乗り込み口を維持することができると共に、訓練を受けた者のみならず、経験のない慣れない避難者のいる火災等の緊急避難時の状況においても一動作で容易に避難することができる。
【０００６】
また、本発明は、請求項２に記載のように、請求項１に記載の垂直式救助袋を有する退避装置において  、案内部材がロープ、ワイヤロープ、紐等の索部材からなると共に、案内部が少なくとも２点において案内部材に摺動自在に係合するパイプ又はリング等の摺動部材からなる垂直式救助袋を有する退避装置を提供するものである。
本発明によれば、ロープ、ワイヤロープ、紐等の索部材を建物の外壁に沿って垂下し、上下端部を支持して張設するだけで、直線的な案内部材を建物外壁に正確且つ簡単に設置することができると共に、案内部材に摺動自在に係合するパイプ又はリング等の摺動部材からなる案内部を索部材に摺動自在に通すだけで、口枠部を案内部材に確実に係合し摺動させることができる。
【０００７】
また、本発明は、請求項３に記載のように、請求項１に記載の垂直式救助袋を有する退避装置において  、案内部材が案内レールからなると共に、案内部が案内部材に係合する係合滑走部材からなる垂直式救助袋を有する退避装置を提供するものである。
本発明によれば、建物外壁に設けた案内レールによって中間部でも揺れが生じないから、これに係合する係合摺動部材により口枠部を確実に係止させることができる。
【０００８】
また、本発明は、請求項４に記載のように、上記のいずれかに記載の垂直式救助袋を有する退避装置において、案内部材を口枠部の両側に位置して設けると共に、案内部を口枠部の下辺枠部の両端突出部に一体に設けてなる垂直式救助袋を有する退避装置を提供するものである。
本発明によれば、救助袋の口枠部の下辺枠部の両突出部に設けた案内部を、その両側の案内部材に係合することによって、乗り込み口枠部の下辺枠部が安定するから、安心して安全に避難することができる。
【０００９】
また、本発明は、請求項５に記載のように、上記のいずれかに記載の垂直式救助袋を有する退避装置において、乗り込み口の口枠部が上方から降りてきてそのまま退避開口部に係合する係合手段を口枠部と退避開口部にそれぞれ設けてなる垂直式救助袋を有する退避装置を提供するものである。
本発明によれば、救助袋の垂下時に、係合手段により、乗り込み口の口枠部が上方から降りてきてそのまま退避開口部に係合するから、口枠部を、案内部材に対する案内部の係合と共に、退避開口部の係合手段に対する口枠部の係合手段の係合によって、より確実に退避開口部に固定することができる。
【００１０】
また、本発明は、請求項６に記載のように、請求項５に記載の垂直式救助袋を有する退避装置において、係合手段が各階毎に上の階では係合しないように設けてある垂直式救助袋を有する退避装置を提供するものである。
本発明によれば、複数階の退避開口部において、各階毎の係合手段の設置位置を変更したり、係合機構を変更することによって、係合手段が上の階の係合手段とは係合することがないから、複数階で口枠部の係合手段と退避装置の係合手段が係合することとなる。
【００１１】
また、本発明は、請求項７に記載のように、上記に記載の垂直式救助袋を有する退避装置において、案内部を口枠部の下辺枠部の両端突出部に一体に設けると共に、係合手段が口枠部の下辺枠部の中間部に一体に設けてある垂直式救助袋を有する退避装置を提供するものである。
本発明によれば、口枠部の下辺枠部の両突出部に設けた案内部を、その両側の案内部材に係合することによって、乗り込み口枠部の下辺枠部が安定するから、その下辺枠部の中間に一体に設けた係合手段の姿勢も安定し、退避開口部の係合手段に確実に係合するから、安心して安全に避難することができる。
【００１２】
また、本発明は、請求項８に記載のように、請求項１乃至７のいずれかに記載の垂直式救助袋を有する退避装置において、救助袋内に柔軟且つ強靱なロープ、ワイヤロープ、紐、ベルト等からなる中央支持索を設け、帯状をなす布地の一側縁を前記中央支持索に取り付けると共に、他側縁を強靱且つ柔軟な筒状外装体の内側に適宜な傾斜を持たせて縫い付け、螺旋状の滑走路を設けてなる垂直式救助袋を有する退避装置を提供するものである。
本発明によれば、柔軟且つ強靱な中央支持索が救助袋内で自在に移動することにより、救助袋の半径を大幅に超える幅を有する滑走路を構成でき、従って、袋内に入った避難者に対応して袋半径に対して大幅な滑走路が確保することができる。
【００１３】
【発明の実施の形態】
以下図示する実施例に基づき発明の実施の形態を説明する。
先ず、本発明に係る救助袋１は、図４及び図５に記載のように、帯状をなす布地２の一側縁２ａを強靱なロープ、ワイヤロープ、紐、ベルト等からなる中央支持索３に取り付け、他側縁２ｂを強靱且つ柔軟な筒状外装体４の内側に適宜な傾斜を持たせて縫い付け、更に、筒状外装体４の外側に強靱なロープ、ワイヤロープ、紐等からなる外周支持索５を取り付け、外周支持索５の上端部をそれぞれ建物上部の取り付け構造体に固定して筒状外装体４を建物外側に沿って垂下すると、筒状外装体４内に布地２の螺旋状の滑走路が形成され、建物の途中階の退避開口部に相対する位置の筒状外装体４の乗り込み口６から乗り込んだ降下者Ａが滑走路に沿って安全に降下することができるように構成してある。
【００１４】
この場合、筒状外装体４の半径を大幅に超える幅を有する布地２により幅の広い滑走路を形成することにより、柔軟且つ強靱な中央支持索３が筒状外装体４内で自在に移動することができ、これによって、袋内に入った避難者に対応して袋半径に対して大幅な滑走路が確保されて、袋半径に比して大きな滑走路を有する救助袋を構成することができる。
従って、中央支持索３は救助袋内で直径方向に自在に移動するように緩やかに設け、その上端は救助袋上端開口からの滑走路への乗り込み口の確保のために、救助袋上端開口に偏って取り付けることが好ましい。
【００１５】
本発明に係る退避装置においては、実施例の場合、図６及び図７に記載のように、建物２０に設けた退避開口部２１に、筒状外装体４の乗り込み口６が合致するように、乗り込み口６に連通する口枠体７を一体に突設してある。
口枠体７は、筒状外装体４の乗り込み口６と建物との５０ｃｍ以内程度の間隔を連結するものであり、袋体と同様な強靱な布地から成り、開口部８の開口枠９の上部両端部を吊り紐１１により筒状外装体４の斜め上部に吊下固定することにより、口枠部７を維持するように構成してあり、従来は、図７に記載のように、開口枠９に設けた連結紐２２を建物２０の退避開口部２１に設けた取り付け金具等に連結していた。
【００１６】
ここで、本発明に係る退避装置は、図１に記載のように、建物２０の外壁２３に前記乗り込み口６の垂下方向を規制する案内部材３０を設けると共に、前記乗り込み口６の口枠体７に案内部材３０に係合する案内部１０を設け、口枠体７が前記退避開口部２１に位置するように構成してある。
図示の実施例の場合、案内部材３０は、ほぼ同一形状を有する口枠体７の開口部８と建物２０の退避開口部２１の両側に位置して、張設したロープ、ワイヤロープ、紐等の２本の索部材からなり、図１に記載のように、上端部を建物２０の上部構造体である上部固定枠２４に固定し、下端部を建物外壁２３に固定した下部固定部材２５に固定して張設するだけで、直線的な案内部材３０を建物外壁２３に正確且つ簡単に設置することができる。
【００１７】
また、索部材からなる案内部材３０は、口枠体７に設けたパイプ又はリング等の摺動部材からなる案内部１０を貫通せしめることにより、案内部１０を案内部材３０に沿って簡単、確実に案内することができる。
図示の実施例の場合、案内部１０は、口枠体７の開口部８を形成する開口枠９の下枠部に一体に固定したパイプ状の口枠部材１２の両端部に一体に固定したパイプからなり、案内部材３０に沿って上方から下方に移動する際に、口枠部材１２を回転することなく建物外壁２３に対して平行を維持して移動することができる。
【００１８】
実施例の場合、口枠体７の開口枠９の下部の口枠部材１２には、パイプ状の支持枠１４が２本回転自在に設けてあり、口枠部材１２の突出位置を正確に設定することができるように構成してある。また、開口枠９の上部の口枠部１５にパイプ状の枠部材を設け、この口枠部１５に支持枠１４と同様にコ字状に支持枠１６を回転自在に設けることもできる。
【００１９】
従って、図２に記載のように、口枠部材１２に掛け金具１３を突設し、これに対応して建物外壁２３に掛止金具２６を突設しておけば、口枠部９の掛け金具１３が上方から降りてきてそのまま退避開口部２１の掛止金具２６に係合するから、これら掛け金具１３と掛止金具２６とからなる自動的な係合手段を口枠部９と退避開口部２１にそれぞれ設けることによって、避難者は救助袋の垂下するだけで、何らの操作をすることなく、口枠部と退避開口部に固定的に連結することができる。
【００２０】
なお、案内部１０が１個のリングからなる場合には、口枠部材１２は軸心回りで回転してしまうこととなり、掛け金具１３を平行を維持して移動できない恐れがあり、案内部１０を口枠部材１０を間に２個以上のリングで案内する構成にすることが好ましい。
なお、この場合、図２において、掛け金具１３と掛止金具２６とからなる係合手段を、口枠部９の右端部に設けてあるが、他の階の口枠部９と退避開口部２１には、中央部又は左端よりにそれぞれ配設することによって、複数階の退避開口部２１において、各階毎の係合手段の設置位置を変更したり、係合機構を変更することによって、係合手段が上の階の係合手段とは係合することがないから、複数階で口枠部９の係合手段と退避開口部２１の係合手段が確実に係合することとなる。
【００２１】
また、係合手段は、実施例の掛け金具１３と掛止金具２６の形態に限らず、永久磁石のＮＳ極の組み合わせや、面ファスナーのループと鈎の組み合わせ等を採用することにより、係合手段が上の階の係合手段とは係合することをなくし、複数階で口枠部９の係合手段と退避開口部２１の係合手段が確実に係合することもできることは勿論である。
【００２２】
この係合手段は、建物の階数が増大して、建物２０の上部構造体である上部固定枠２４と建物下部の外壁２３に固定した下部固定部材２５の間隔が増大して、ロープ等からなる案内部材３０の長さが大きくなる場合、途中階における案内部材３０の中間部の揺れ幅が増大するような場合に有効である。
なお、図では省略したが、係合手段としては、図示のものに限定されることなく従来公知の種々の手段を採用することができることは勿論である。
【００２３】
また、案内部材３０は建物外壁に固定的に設けておくものであるから、図示の実施例のように、ロープ等の索部材に限らず、Ｔ字断面形状の溝を有する案内レール等からなる案内部材３０と、その案内レールの溝に嵌合するＴ字断面形状の滑車部材等からなる案内部１０を採用することも勿論可能である。このように、案内部材と案内部には、例えば、カーテンレールと滑車のような従来公知の手動手段を採用することができる。
この場合、建物外壁に設けた硬質の案内レールによって中間部でも揺れが生じないから、これに係合する案内部の係合摺動部材により口枠部をより確実に案内して、退避開口部２１に係止させることができる。また、この場合、退避開口部２１付近において案内レールを外壁部に固定することによって、案内部材３０の揺れをほとんど無くし、前記係合手段を使用することなく、各階において、退避開口部２１に口枠部９を固定的に設置することができる。
【００２４】
次に、救助袋１の筒状外装体４の上端部は、実施例の場合、図１又は図３に記載のように、建物３０の屋上に固定された固定収納枠体３１から突出した四角形状の袋取付枠２７の４隅部に外周支持索５の上端部を一体に固定することによって、垂下されている。また、中央支持索３の上端部は袋取付枠２７の適宜な枠部に弛んだ状態で固定され、袋取付枠部２７の上部開口部から救助袋１内に乗り込めるように構成してある。
袋取付枠２７は、図１に記載のように、固定収納枠体３１の前支柱３２の下部に回転支軸３３及び載置台枠３４を介して取り付けてあり、吊り索２８、２９によりほぼ水平に支持されている。
【００２５】
【発明の効果】
以上の通り、本発明に係る垂直式救助袋を有する退避装置によれば、特許請求の範囲の請求項１に記載のように、  建物の途中階の退避開口部に相当する位置に沿って柔軟な救助袋を垂下し、救助袋に設けた乗り込み口が前記退避開口部に位置するようになした垂直式救助袋を有する退避装置において、建物の外壁に前記乗り込み口の垂下方向を規制する案内部材を設けると共に、前記乗り込み口の口枠部に案内部材に係合する案内部を設け、口枠部が前記退避開口部に位置するようになした構成を有することにより、救助袋を垂下する一動作だけで、救助袋に設けた乗り込み口の口枠部の案内部が、建物の外壁に設けた案内部材に規制されて垂下し、垂下完了と同時に、乗り込み口が退避開口部に案内部材に規制されて確実に位置するから、一動作で緊急時に救助袋を瞬時に確実に設置することができ、強風等に対しても安定した状態で建物途中階の避難開口部に救助袋の乗り込み口を維持することができると共に、訓練を受けた者のみならず、経験のない慣れない避難者のいる火災等の緊急避難時の状況においても一動作で容易に避難することができる効果がある。
【００２６】
また、本発明は、請求項２に記載のように、請求項１に記載の垂直式救助袋を有する退避装置において  、案内部材がロープ、ワイヤロープ、紐等の索部材からなると共に、案内部が少なくとも２点において案内部材に摺動自在に係合するパイプ又はリング等の摺動部材からなる構成を有することにより、ロープ、ワイヤロープ、紐等の索部材を建物の外壁に沿って垂下し、上下端部を支持して張設するだけで、直線的な案内部材を建物外壁に正確且つ簡単に設置することができると共に、案内部材に摺動自在に係合するパイプ又はリング等の摺動部材からなる案内部を索部材に摺動自在に通すだけで、口枠部を案内部材に確実に係合し摺動させることができる効果がある。
【００２７】
また、本発明は、請求項３に記載のように、請求項１に記載の垂直式救助袋を有する退避装置において  、案内部材が案内レールからなると共に、案内部が案内部材に係合する係合滑走部材からなる構成を有することにより、建物外壁に設けた案内レールによって中間部でも揺れが生じないから、これに係合する係合摺動部材により口枠部を確実に係止させることができる効果がある。
【００２８】
また、本発明は、請求項４に記載のように、上記のいずれかに記載の垂直式救助袋を有する退避装置において、案内部材を口枠部の両側に位置して設けると共に、案内部を口枠部の下辺枠部の両端突出部に一体に設けてなる構成を有することにより、救助袋の口枠部の下辺枠部の両突出部に設けた案内部を、その両側の案内部材に係合することによって、乗り込み口枠部の下辺枠部が安定するから、安心して安全に避難することができる効果がある。
【００２９】
また、本発明は、請求項５に記載のように、上記のいずれかに記載の垂直式救助袋を有する退避装置において、乗り込み口の口枠部が上方から降りてきてそのまま退避開口部に係合する係合手段を口枠部と退避開口部にそれぞれ設けてなる構成を有することにより、救助袋の垂下時に、係合手段により、乗り込み口の口枠部が上方から降りてきて一動作でそのまま退避開口部に係合するから、案内部材に対する案内部の係合と共に、退避開口部の係合手段に対する口枠部の係合手段の係合によって、口枠部をより確実に退避開口部に固定することができ、経験のない慣れない避難者を安全、確実、迅速に退避させることができる効果がある。
【００３０】
また、本発明は、請求項６に記載のように、請求項５に記載の垂直式救助袋を有する退避装置において、係合手段が各階毎に上の階では係合しないように設けてある構成を有することにより、複数階の退避開口部において、各階毎の係合手段の設置位置を変更したり、係合機構を変更することによって、係合手段が上の階の係合手段とは係合することがないから、複数階で口枠部の係合手段と退避装置の係合手段を係合することができる効果がある。
【００３１】
また、本発明は、請求項７に記載のように、上記に記載の垂直式救助袋を有する退避装置において、案内部を口枠部の下辺枠部の両端突出部に一体に設けると共に、係合手段が口枠部の下辺枠部の中間部に一体に設けてある構成を有することにより、口枠部の下辺枠部の両突出部に設けた案内部を、その両側の案内部材に係合することによって、乗り込み口枠部の下辺枠部が安定するから、その下辺枠部の中間に一体に設けた係合手段の姿勢も安定し、退避開口部の係合手段に確実に係合するから、安心して安全に避難することができる効果がある。
【００３２】
また、本発明は、請求項８に記載のように、請求項１乃至７のいずれかに記載の垂直式救助袋を有する退避装置において、救助袋内に柔軟且つ強靱なロープ、ワイヤロープ、紐、ベルト等からなる中央支持索を弛ませて設け、帯状をなす布地の一側縁を前記中央支持索に取り付けると共に、他側縁を強靱且つ柔軟な筒状外装体の内側に適宜な傾斜を持たせて縫い付け、螺旋状の滑走路を設けてなる構成を有することにより、柔軟且つ強靱な中央支持索が救助袋内で自在に移動することにより、救助袋の半径を大幅に超える幅を有する滑走路を構成でき、従って、袋内に入った避難者に対応して袋半径に対して大幅な滑走路を確保することができる効果がある。
【図面の簡単な説明】
【図１】本発明装置の一実施例の全体の概略説明図。
【図２】その要部の概略拡大斜視図。
【図３】その要部の概略拡大斜視図。
【図４】その要部の分解斜視図。
【図５】その要部の使用態様説明図。
【図６】その要部の使用態様説明図。
【図７】その要部の拡大使用態様説明図。
【符号の説明】
１      救助袋
２      布地
３      中央支持索
４      筒状外装体
５      外周支持索
６      乗り込み口
７      口枠体
８      開口部
９      開口枠
１０    案内部
１１    吊り紐
１２    口枠部材
１３    掛け金具
１４    支持枠
１５    口枠部
１６    支持枠
２０    建物
２１    退避開口部
２２    連結紐
２３    外壁
２４    上部固定枠
２５    下部固定部材
２６    掛止金具
２７    袋取付枠
２８，２９    吊り索
３０    案内部材
３１    固定収納枠体
３２    前支柱
３３    回転支軸
３４    載置台枠
【図１】
2004222972.tif 000003
【図２】
2004222972.tif 000004
【図３】
2004222972.tif 000005
【図４】
2004222972.tif 000006
【図５】
2004222972.tif 000007
【図６】
2004222972.tif 000008
【図７】
2004222972.tif 000009
【手続補正書】
【提出日】平成15年8月5日(2003.8.5)
【手続補正１】
【補正対象書類名】明細書
【補正対象項目名】全文
【補正方法】変更
【補正の内容】
【特許請求の範囲】
【請求項１】建物の途中階の退避開口部に相当する位置に沿って柔軟な救助袋を垂下し、前記退避開口部に救助袋の乗り込み口が位置するようになした垂直式救助袋を有する退避装置において、建物の外壁に前記乗り込み口の口枠部の垂下方向を規制する案内部材を設け、前記口枠部に設けた案内部を前記案内部材に係合せしめて垂下方向を案内する一方、前記乗り込み口の口枠部と前記退避開口部に救助袋の垂下に伴って互いに係合する係合手段を突設してなる垂直式救助袋を有する退避装置。
【請求項２】請求項１に記載の垂直式救助袋を有する退避装置において、係合手段が、掛け金具と掛止金具、永久磁石のＮＳ極の組み合わせ、面ファスナーのループと鈎の組み合わせのいずれかからなる垂直式救助袋を有する退避装置。
【請求項３】請求項１又は２に記載の垂直式救助袋を有する退避装置において、係合手段が、建物の複数の途中階の退避開口部において、各階毎に異なる係合位置に設置してなる垂直式救助袋を有する退避装置。
【請求項４】請求項１、２又は３に記載の垂直式救助袋を有する退避装置において、係合手段が、建物の複数の途中階の退避開口部において各階毎に異なる垂直式救助袋を有する退避装置。
【請求項５】請求項１乃至４のいずれかに記載の垂直式救助袋を有する退避装置において 、案内部材がロープ、ワイヤロープ、紐等の索部材からなると共に、案内部が案内部材に摺動自在に係合するパイプ又はリング等の摺動部材からなる垂直式救助袋を有する退避装置。
【請求項６】請求項１乃至４のいずれかに記載の垂直式救助袋を有する退避装置において 、案内部材が案内レールからなると共に、案内部が案内部材に係合する係合滑走部材からなる垂直式救助袋を有する退避装置。
【請求項７】請求項１乃至６のいずれかに記載の垂直式救助袋を有する退避装置において 、案内部材を口枠部の両側に位置して設けると共に、案内部を口枠部の下辺枠部の両端突出部に案内部材の長手方向に沿って一体に設けてなる垂直式救助袋を有する退避装置。
【請求項８】請求項１乃至７のいずれかに記載の垂直式救助袋を有する退避装置において、救助袋内に柔軟且つ強靱なロープ、ワイヤロープ、紐、ベルト等からなる中央支持索を設け、帯状をなす布地の一側縁を前記中央支持索に取り付けると共に、他側縁を強靱且つ柔軟な筒状外装体の内側に適宜な傾斜を持たせて縫い付け、螺旋状の滑走路を設けてなる垂直式救助袋を有する退避装置。
【発明の詳細な説明】
【０００１】
【発明の属する技術分野】
本発明は、緊急避難時に、建物の途中階の退避開口部に相当する位置に沿って柔軟な救助袋を垂下し、救助袋に設けた乗り込み口が前記退避開口部に位置するようになした垂直式救助袋を有する退避装置に関する。
【０００２】
【従来の技術】
従来、緊急避難時に、建物の途中階の退避開口部に相当する位置に沿って柔軟な救助袋を垂下し、救助袋に設けた乗り込み口が前記退避開口部に位置するようになした垂直式救助袋を有する退避装置は知られている（特許文献１、２、３参照）。
救助袋内には、螺旋状に滑走路が設けてあり、建物の途中階の退避開口部に位置する乗り込み口から救助袋内に入り込めば、滑走路に沿って適宜なスピードで階下まで安全に滑り降りることができる。
【特許文献１】特開昭５３−６４９９９号
【特許文献２】特開昭６０−２３６６６６号
【特許文献３】特開昭５３−９１００号
【０００３】
【発明が解決しようとする課題】
本発明が解決しようとする課題は、緊急避難時に、経験のない慣れない避難者が簡単な操作で如何に安全、迅速に、建物の途中階の避難開口部から救助袋の乗り込み口を経て救助袋内に入り込むことができるかということである。
従来、緊急時に救助袋を簡単な操作で短時間に正確に垂下することは相当に難しく、且つ、安定せず、ましてや強風等に煽られた場合等には、建物途中階の避難開口部に救助袋の乗り込み口を合致させることは困難な場合があり、例えば、救助袋の乗り込み口の４個所に設けた紐や保持金具を、建物側の避難開口部に対応して設けた掛止金具等に固定すること（特許文献２，３参照）は、訓練を受けた者でも時間と労力が掛かるのみならず、経験のない慣れない避難者のいる火災等の緊急避難時のパニック状態においては尚更大変である。
【０００４】
【課題を解決するための手段】
そこで、本発明は、特許請求の範囲の請求項１に記載のように、 建物の途中階の退避開口部に相当する位置に沿って柔軟な救助袋を垂下し、前記退避開口部に救助袋の乗り込み口が位置するようになした垂直式救助袋を有する退避装置において、建物の外壁に前記乗り込み口の口枠部の垂下方向を規制する案内部材を設け、前記口枠部に設けた案内部を前記案内部材に係合せしめて垂下方向を案内する一方、前記乗り込み口の口枠部と前記退避開口部に救助袋の垂下に伴って互いに係合する係合手段を突設してなる垂直式救助袋を有する退避装置を提供するものである。
【０００５】
本発明によれば、救助袋を垂下するだけで、救助袋に設けた乗り込み口の口枠部の案内部が、建物の外壁に設けた案内部材に規制されて垂下し、垂下完了と同時に、乗り込み口が退避開口部に案内部材に規制されて確実に位置すると同時に、前記乗り込み口の口枠部と前記退避開口部に突設した係合手段が救助袋の垂下に伴って互いに係合するから、救助袋を垂下するだけの一動作で緊急時に救助袋を瞬時に確実に設置することができ、同時に係合手段により口枠部を退避開口部に係合することができ、強風等に対しても安定した状態で建物途中階の避難開口部に救助袋の乗り込み口を維持することができると共に、訓練を受けた者のみならず、経験のない慣れない避難者のいる火災等の緊急避難時の状況においても安全に容易に避難することができる。
【０００６】
また、本発明は、請求項２に記載のように、請求項１に記載の垂直式救助袋を有する退避装置において 、係合手段が、掛け金具と掛止金具、永久磁石のＮＳ極の組み合わせ、面ファスナーのループと鈎の組み合わせのいずれかからなる垂直式救助袋を有する退避装置を提供するものである。
【０００７】
また、本発明は、請求項３に記載のように、請求項１又は２に記載の垂直式救助袋を有する退避装置において 、係合手段が、建物の複数の途中階の退避開口部において、各階毎に異なる係合位置に設置してなる垂直式救助袋を有する退避装置を提供するものである。
また、本発明は、請求項４に記載のように、請求項１、２又は３に記載の垂直式救助袋を有する退避装置において、係合手段が、建物の複数の途中階の退避開口部において各階毎に異なる垂直式救助袋を有する退避装置に提供するものである。
【０００８】
本発明によれば、複数階の退避開口部において、各階毎の係合手段の設置位置を変更したり、係合機構を変更することによって、係合手段が上の階の係合手段とは係合することがないから、複数階で口枠部の係合手段と退避装置の係合手段が係合することとなる。
【０００９】
また、本発明は、請求項５に記載のように、請求項１乃至４のいずれかに記載の垂直式救助袋を有する退避装置において 、案内部材がロープ、ワイヤロープ、紐等の索部材からなると共に、案内部が案内部材に摺動自在に係合するパイプ又はリング等の摺動部材からなる垂直式救助袋を有する退避装置を提供するものである。
本発明によれば、ロープ、ワイヤロープ、紐等の索部材を建物の外壁に沿って垂下し、上下端部を支持して張設するだけで、直線的な案内部材を建物外壁に正確且つ簡単に設置することができると共に、案内部材に摺動自在に係合するパイプ又はリング等の摺動部材からなる案内部を索部材に摺動自在に通すだけで、口枠部を案内部材に確実に係合し摺動させることができる。
【００１０】
また、本発明は、請求項６に記載のように、請求項１乃至４のいずれかに記載の垂直式救助袋を有する退避装置において 、案内部材が案内レールからなると共に、案内部が案内部材に係合する係合滑走部材からなる垂直式救助袋を有する退避装置を提供するものである。
本発明によれば、建物外壁に設けた案内レールによって中間部でも揺れが生じないから、これに係合する係合摺動部材により口枠部を確実に係止させることができる。
【００１１】
また、本発明は、請求項７に記載のように、請求項１乃至６のいずれかに記載の垂直式救助袋を有する退避装置において 、案内部材を口枠部の両側に位置して設けると共に、案内部を口枠部の下辺枠部の両端突出部に案内部材の長手方向に沿って一体に設けてなる垂直式救助袋を有する退避装置を提供するものである。
本発明によれば、口枠部の下辺枠部の両突出部に設けた案内部を、その両側の案内部材に係合することによって、乗り込み口枠部の下辺枠部が安定するから、その下辺枠部の中間に一体に設けた係合手段の姿勢も安定し、退避開口部の係合手段に確実に係合するから、安心して安全に避難することができる。
【００１２】
また、本発明は、請求項８に記載のように、請求項１乃至７のいずれかに記載の垂直式救助袋を有する退避装置において、救助袋内に柔軟且つ強靱なロープ、ワイヤロープ、紐、ベルト等からなる中央支持索を設け、帯状をなす布地の一側縁を前記中央支持索に取り付けると共に、他側縁を強靱且つ柔軟な筒状外装体の内側に適宜な傾斜を持たせて縫い付け、螺旋状の滑走路を設けてなる垂直式救助袋を有する退避装置を提供するものである。
本発明によれば、柔軟且つ強靱な中央支持索が救助袋内で自在に移動することにより、救助袋の半径を大幅に超える幅を有する滑走路を構成でき、従って、袋内に入った避難者に対応して袋半径に対して大幅な滑走路が確保することができる。
【００１３】
【発明の実施の形態】
以下図示する実施例に基づき発明の実施の形態を説明する。
先ず、本発明に係る救助袋１は、図４及び図５に記載のように、帯状をなす布地２の一側縁２ａを強靱なロープ、ワイヤロープ、紐、ベルト等からなる中央支持索３に取り付け、他側縁２ｂを強靱且つ柔軟な筒状外装体４の内側に適宜な傾斜を持たせて縫い付け、更に、筒状外装体４の外側に強靱なロープ、ワイヤロープ、紐等からなる外周支持索５を取り付け、外周支持索５の上端部をそれぞれ建物上部の取り付け構造体に固定して筒状外装体４を建物外側に沿って垂下すると、筒状外装体４内に布地２の螺旋状の滑走路が形成され、建物の途中階の退避開口部に相対する位置の筒状外装体４の乗り込み口６から乗り込んだ降下者Ａが滑走路に沿って安全に降下することができるように構成してある。
【００１４】
この場合、筒状外装体４の半径を大幅に超える幅を有する布地２により幅の広い滑走路を形成することにより、柔軟且つ強靱な中央支持索３が筒状外装体４内で自在に移動することができ、これによって、袋内に入った避難者に対応して袋半径に対して大幅な滑走路が確保されて、袋半径に比して大きな滑走路を有する救助袋を構成することができる。
従って、中央支持索３は救助袋内で直径方向に自在に移動するように緩やかに設け、その上端は救助袋上端開口からの滑走路への乗り込み口の確保のために、救助袋上端開口に偏って取り付けることが好ましい。
【００１５】
本発明に係る退避装置においては、実施例の場合、図６及び図７に記載のように、建物２０に設けた退避開口部２１に、筒状外装体４の乗り込み口６が合致するように、乗り込み口６に連通する口枠体７を一体に突設してある。
口枠体７は、筒状外装体４の乗り込み口６と建物との５０ｃｍ以内程度の間隔を連結するものであり、袋体と同様な強靱な布地から成り、開口部８の開口枠９の上部両端部を吊り紐１１により筒状外装体４の斜め上部に吊下固定することにより、口枠部７を維持するように構成してあり、従来は、図７に記載のように、開口枠９に設けた連結紐２２を建物２０の退避開口部２１に設けた取り付け金具等に連結していた。
【００１６】
ここで、本発明に係る退避装置は、図１に記載のように、建物２０の外壁２３に前記乗り込み口６の垂下方向を規制する案内部材３０を設けると共に、前記乗り込み口６の口枠体７に案内部材３０に係合する案内部１０を設け、口枠体７が前記退避開口部２１に位置するように構成してある。
図示の実施例の場合、案内部材３０は、ほぼ同一形状を有する口枠体７の開口部８と建物２０の退避開口部２１の両側に位置して、張設したロープ、ワイヤロープ、紐等の２本の索部材からなり、図１に記載のように、上端部を建物２０の上部構造体である上部固定枠２４に固定し、下端部を建物外壁２３に固定した下部固定部材２５に固定して張設するだけで、直線的な案内部材３０を建物外壁２３に正確且つ簡単に設置することができる。
【００１７】
また、索部材からなる案内部材３０は、口枠体７に設けたパイプ又はリング等の摺動部材からなる案内部１０を貫通せしめることにより、案内部１０を案内部材３０に沿って簡単、確実に案内することができる。
図示の実施例の場合、案内部１０は、口枠体７の開口部８を形成する開口枠９の下枠部に一体に固定したパイプ状の口枠部材１２の両端部に一体に固定したパイプからなり、案内部材３０に沿って上方から下方に移動する際に、口枠部材１２を回転することなく建物外壁２３に対して平行を維持して移動することができる。
【００１８】
実施例の場合、口枠体７の開口枠９の下部の口枠部材１２には、パイプ状の支持枠１４が２本回転自在に設けてあり、口枠部材１２の突出位置を正確に設定することができるように構成してある。また、開口枠９の上部の口枠部１５にパイプ状の枠部材を設け、この口枠部１５に支持枠１４と同様にコ字状に支持枠１６を回転自在に設けることもできる。
【００１９】
従って、図２に記載のように、口枠部材１２に掛け金具１３を突設し、これに対応して建物外壁２３に掛止金具２６を突設しておけば、口枠部９の掛け金具１３が上方から降りてきてそのまま退避開口部２１の掛止金具２６に係合するから、これら掛け金具１３と掛止金具２６とからなる自動的な係合手段を口枠部９と退避開口部２１にそれぞれ設けることによって、避難者は救助袋の垂下するだけで、何らの操作をすることなく、口枠部と退避開口部に固定的に連結することができる。
【００２０】
なお、案内部１０が１個のリングからなる場合には、口枠部材１２は軸心回りで回転してしまうこととなり、掛け金具１３を平行を維持して移動できない恐れがあり、案内部１０を口枠部材１０を間に２個以上のリングで案内する構成にすることが好ましい。
なお、この場合、図２において、掛け金具１３と掛止金具２６とからなる係合手段を、口枠部９の右端部に設けてあるが、他の階の口枠部９と退避開口部２１には、中央部又は左端よりにそれぞれ配設することによって、複数階の退避開口部２１において、各階毎の係合手段の設置位置を変更したり、係合機構を変更することによって、係合手段が上の階の係合手段とは係合することがないから、複数階で口枠部９の係合手段と退避開口部２１の係合手段が確実に係合することとなる。
【００２１】
また、係合手段は、実施例の掛け金具１３と掛止金具２６の形態に限らず、永久磁石のＮＳ極の組み合わせや、面ファスナーのループと鈎の組み合わせ等を採用することにより、係合手段が上の階の係合手段とは係合することをなくし、複数階で口枠部９の係合手段と退避開口部２１の係合手段が確実に係合することもできることは勿論である。
【００２２】
この係合手段は、建物の階数が増大して、建物２０の上部構造体である上部固定枠２４と建物下部の外壁２３に固定した下部固定部材２５の間隔が増大して、ロープ等からなる案内部材３０の長さが大きくなる場合、途中階における案内部材３０の中間部の揺れ幅が増大するような場合に有効である。
なお、図では省略したが、係合手段としては、図示のものに限定されることなく従来公知の種々の手段を採用することができることは勿論である。
【００２３】
また、案内部材３０は建物外壁に固定的に設けておくものであるから、図示の実施例のように、ロープ等の索部材に限らず、Ｔ字断面形状の溝を有する案内レール等からなる案内部材３０と、その案内レールの溝に嵌合するＴ字断面形状の滑車部材等からなる案内部１０を採用することも勿論可能である。このように、案内部材と案内部には、例えば、カーテンレールと滑車のような従来公知の手動手段を採用することができる。
この場合、建物外壁に設けた硬質の案内レールによって中間部でも揺れが生じないから、これに係合する案内部の係合摺動部材により口枠部をより確実に案内して、退避開口部２１に係止させることができる。また、この場合、退避開口部２１付近において案内レールを外壁部に固定することによって、案内部材３０の揺れをほとんど無くし、前記係合手段を使用することなく、各階において、退避開口部２１に口枠部９を固定的に設置することができる。
【００２４】
次に、救助袋１の筒状外装体４の上端部は、実施例の場合、図１又は図３に記載のように、建物３０の屋上に固定された固定収納枠体３１から突出した四角形状の袋取付枠２７の４隅部に外周支持索５の上端部を一体に固定することによって、垂下されている。また、中央支持索３の上端部は袋取付枠２７の適宜な枠部に弛んだ状態で固定され、袋取付枠部２７の上部開口部から救助袋１内に乗り込めるように構成してある。
袋取付枠２７は、図１に記載のように、固定収納枠体３１の前支柱３２の下部に回転支軸３３及び載置台枠３４を介して取り付けてあり、吊り索２８、２９によりほぼ水平に支持されている。
【００２５】
【発明の効果】
以上の通り、本発明に係る垂直式救助袋を有する退避装置によれば、特許請求の範囲の請求項１に記載のように、建物の途中階の退避開口部に相当する位置に沿って柔軟な救助袋を垂下し、前記退避開口部に救助袋の乗り込み口が位置するようになした垂直式救助袋を有する退避装置において、建物の外壁に前記乗り込み口の口枠部の垂下方向を規制する案内部材を設け、前記口枠部に設けた案内部を前記案内部材に係合せしめて垂下方向を案内する一方、前記乗り込み口の口枠部と前記退避開口部に救助袋の垂下に伴って互いに係合する係合手段を突設してなる構成を有することにより、救助袋を垂下するだけで、救助袋に設けた乗り込み口の口枠部の案内部が、建物の外壁に設けた案内部材に規制されて垂下し、垂下完了と同時に、乗り込み口が退避開口部に案内部材に規制されて確実に位置すると同時に、前記乗り込み口の口枠部と前記退避開口部に突設した係合手段が救助袋の垂下に伴って互いに係合するから、救助袋を垂下するだけの一動作で緊急時に救助袋を瞬時に確実に設置することができ、同時に係合手段により口枠部を退避開口部に係合することができ、強風等に対しても安定した状態で建物途中階の避難開口部に救助袋の乗り込み口を維持することができると共に、訓練を受けた者のみならず、経験のない慣れない避難者のいる火災等の緊急避難時の状況においても安全に容易に避難することができる効果がある。
【００２６】
また、本発明は、請求項２に記載のように、請求項１に記載の垂直式救助袋を有する退避装置において 、係合手段が、掛け金具と掛止金具、永久磁石のＮＳ極の組み合わせ、面ファスナーのループと鈎の組み合わせのいずれかからなる構成を有し、請求項３に記載のように、請求項１又は２に記載の垂直式救助袋を有する退避装置において 、係合手段が、建物の複数の途中階の退避開口部において、各階毎に異なる係合位置に設置してなる構成を有することにより、複数階の退避開口部において、各階毎の係合手段の係合機構を変更することによって、係合手段が上の階の係合手段とは係合することがないから、複数階で口枠部と退避装置の係合手段が確実に係合することとなる。
【００２７】
また、本発明は、請求項４に記載のように、請求項１、２又は３に記載の垂直式救助袋を有する退避装置において、係合手段が、建物の複数の途中階の退避開口部において各階毎に異なる構成を有することにより、複数階の退避開口部において、各階毎の係合手段の設置位置を変更して係合手段が上の階の係合手段とは係合することがないから、複数階で口枠部と退避装置の係合手段が確実に係合することとなる。
【００２８】
また、本発明は、請求項５に記載のように、請求項１乃至４のいずれかに記載の垂直式救助袋を有する退避装置において 、案内部材がロープ、ワイヤロープ、紐等の索部材からなると共に、案内部が案内部材に摺動自在に係合するパイプ又はリング等の摺動部材からなる構成を有することにより、ロープ、ワイヤロープ、紐等の索部材を建物の外壁に沿って垂下し、上下端部を支持して張設するだけで、直線的な案内部材を建物外壁に正確且つ簡単に設置することができると共に、案内部材に摺動自在に係合するパイプ又はリング等の摺動部材からなる案内部を索部材に摺動自在に通すだけで、口枠部を案内部材に確実に係合し摺動させることができる効果がある。
【００２９】
また、本発明は、請求項６に記載のように、請求項１乃至４のいずれかに記載の垂直式救助袋を有する退避装置において 、案内部材が案内レールからなると共に、案内部が案内部材に係合する係合滑走部材からなる構成を有することにより、建物外壁に設けた案内レールによって中間部でも揺れが生じないから、これに係合する係合摺動部材により口枠部を確実に係止させることができる効果がある。
【００３０】
また、本発明は、請求項７に記載のように、請求項１乃至６のいずれかに記載の垂直式救助袋を有する退避装置において 、案内部材を口枠部の両側に位置して設けると共に、案内部を口枠部の下辺枠部の両端突出部に案内部材の長手方向に沿って一体に設けてなる構成を有することにより、口枠部の下辺枠部の両突出部に設けた案内部を、その両側の案内部材に係合することによって、乗り込み口枠部の下辺枠部が安定するから、その下辺枠部の中間に一体に設けた係合手段の姿勢も安定し、退避開口部の係合手段に確実に係合するから、安心して安全に避難することができる効果がある。
【００３１】
また、本発明は、請求項８に記載のように、請求項１乃至７のいずれかに記載の垂直式救助袋を有する退避装置において、救助袋内に柔軟且つ強靱なロープ、ワイヤロープ、紐、ベルト等からなる中央支持索を設け、帯状をなす布地の一側縁を前記中央支持索に取り付けると共に、他側縁を強靱且つ柔軟な筒状外装体の内側に適宜な傾斜を持たせて縫い付け、螺旋状の滑走路を設けてなる構成を有することにより、柔軟且つ強靱な中央支持索が救助袋内で自在に移動することにより、救助袋の半径を大幅に超える幅を有する滑走路を構成でき、従って、袋内に入った避難者に対応して袋半径に対して大幅な滑走路が確保することができる効果がある。
【図面の簡単な説明】
【図１】本発明装置の一実施例の全体の概略説明図。
【図２】その要部の概略拡大斜視図。
【図３】その要部の概略拡大斜視図。
【図４】その要部の分解斜視図。
【図５】その要部の使用態様説明図。
【図６】その要部の使用態様説明図。
【図７】その要部の拡大使用態様説明図。
【符号の説明】
１      救助袋
２      布地
３      中央支持索
４      筒状外装体
５      外周支持索
６      乗り込み口
７      口枠体
８      開口部
９      開口枠
１０    案内部
１１    吊り紐
１２    口枠部材
１３    掛け金具
１４    支持枠
１５    口枠部
１６    支持枠
２０    建物
２１    退避開口部
２２    連結紐
２３    外壁
２４    上部固定枠
２５    下部固定部材
２６    掛止金具
２７    袋取付枠
２８，２９    吊り索
３０    案内部材
３１    固定収納枠体
３２    前支柱
３３    回転支軸
３４    載置台枠